(57)【要約】【課題】利用者や介助者等の使用者に応じて紙を引き出し易い状態に調整して、ペーパーホルダーを取付可能な可搬便器を提供する。【解決手段】便器本体２とペーパーホルダー５０とを備えた可搬便器１であって、ペーパーホルダー５０は、トイレットロール７６を保持するホルダー本体５１と、ホルダー本体５１を便器本体２に支持する支持部材６８とを備え、ホルダー本体５１は、トイレットロール７６の軸方向を横向きにして軸回り方向に回転自在に支持するロール支持部５２と、ロール支持部５２を支持部材６８に取り付ける被取付体６３とを備え、支持部材６８を固定する固定部３５を、便器本体２の左右の側方に複数設け、支持部材６８を複数の固定部３５に対して選択的に固定可能とした。【選択図】図１
2014064600.tif 000002
【特許請求の範囲】
【請求項１】
可搬式の便器本体と、ペーパーホルダーとを備え、
前記便器本体は、便器外殻と、この便器外殻の内側に収納される汚物受けと、前記便器外殻の上部に設けた便座とを備え、
前記ペーパーホルダーは、トイレットロールを保持するホルダー本体と、このホルダー本体を前記便器本体に支持する支持部材とを備え、
前記ホルダー本体は、前記トイレットロールの軸方向を横向きにして軸回り方向に回転自在に支持するロール支持部と、前記ロール支持部を前記支持部材に取り付ける被取付体とを備え、
前記支持部材を固定する固定部を、前記便器本体の左右の側方に複数設け、
前記支持部材は、複数の前記固定部に対して選択的に固定されるものであることを特徴とする可搬便器。
【請求項２】
前記支持部材は、取付姿勢を上下反転自在で前記固定部に固定されるものであることを特徴とする請求項１に記載の可搬便器。
【請求項３】
前記ホルダー本体は、平面視において取付角度を変更自在で前記支持部材に取り付けられ、
前記ペーパーホルダーは、変更した前記取付角度に前記ホルダー本体を保持する保持部を備えるものであることを特徴とする請求項１又は２に記載の可搬便器。
【請求項４】
前記便器本体は、肘掛けを備え、
この肘掛けは、肘載せ部と、この肘載せ部の下方に突設されて前記便器外殻の側面に取り付けられる柱部とを備え、
この柱部の側面に前記固定部を設けたものであることを特徴とする請求項１乃至３のいずれか一項に記載の可搬便器。
【請求項５】
前記便器外殻の側面前部に前記固定部を設けたものであることを特徴とする請求項１乃至４のいずれか一項に記載の可搬便器。
【請求項６】
前記便器本体は、肘掛けを備え、
前記肘掛けは、側面に前記固定部が設けられた肘載せ部を備えるものであることを特徴とする請求項１乃至５のいずれか一項に記載の可搬便器。
【請求項７】
前記支持部材は、前記被取付体を取り付ける断面円形状の支持軸と、前記支持軸の軸方向の一端に設けられ前記固定部に固定される被固定部とを備え、
この被固定部は、前記支持軸の断面における接線上に幅を有して且つ前記支持軸の前記一端から前記軸方向に突出して設けてあり、
前記支持軸の前記一端側に、前記被固定部補強用のリブを設けたものであることを特徴とする請求項１乃至６のいずれか一項に記載の可搬便器。
【発明の詳細な説明】
【技術分野】
【０００１】
本発明は、設置位置を容易に変更可能な可搬便器に関する。
【背景技術】
【０００２】
従来から、設置位置を容易に変更可能な可搬便器は、老人、身体障害者、病人等の介護に用いられており、例えば特許文献１に示す携帯用便器がある。この携帯用便器では、便器本体の側面に矩形の開口部を設け、この開口部にペーパーホルダーを備える。これによって、この携帯用便器では、便器使用時にトイレットロールを利用し易くしている。
【先行技術文献】
【特許文献】
【０００３】
【特許文献１】特開平８−１９６４６９号公報
【発明の概要】
【発明が解決しようとする課題】
【０００４】
ところで、この特許文献１の携帯用便器では、ペーパーホルダーが便座よりも低位置に配置されているため、ペーパーホルダーから紙を引き出し切断する際に、便座に着座した利用者が手を下方に大きく伸ばしたり、体を曲げながら手を下げたりすることになる。また、便座に着座した利用者や介助者等のトイレットロールの使用者によっては、例えば手を下げ難い場合がある等で、紙を引き出し易い方向と引き出し難い方向とを生じることがある。言い換えると、使用者によっては、トイレットロールを使用するにあたって、紙の引き出し可能な方向が制限されることがある。このため、使用者によっては、前記特許文献１の携帯用便器等の場合、トイレットロールを使用し難くなる恐れがある。
【０００５】
本発明は前記事情に鑑みてなされたものであって、利用者や介助者等の使用者に応じて紙を引き出し易い状態に調整して、ペーパーホルダーを取付可能な可搬便器を提供することを課題とする。
【課題を解決するための手段】
【０００６】
前記課題を解決するために本発明は、可搬式の便器本体と、ペーパーホルダーとを備え、前記便器本体は、便器外殻と、この便器外殻の内側に収納された汚物受けと、前記便器外殻の上部に設けた便座とを備え、前記ペーパーホルダーは、トイレットロールを保持するホルダー本体と、このホルダー本体を前記便器本体に支持する支持部材とを備え、前記ホルダー本体は、前記トイレットロールの軸方向を横向きにして軸回り方向に回転自在に支持するロール支持部と、前記ロール支持部を前記支持部材に取り付ける被取付体とを備え、前記支持部材を固定する固定部を、前記便器本体の左右の側方に複数設け、前記支持部材は、複数の前記固定部に対して選択的に固定されるものであることを特徴とする。
【０００７】
また、本発明は、前記支持部材は、取付姿勢を上下反転自在で前記固定部に固定されるものであることが好ましい。
【０００８】
また、本発明は、前記ホルダー本体は、平面視において取付角度を変更自在で前記支持部材に取り付けられ、前記ペーパーホルダーは、変更した前記取付角度に前記ホルダー本体を保持する保持部を備えるものであることが好ましい。
【０００９】
また、本発明は、前記便器本体は、肘掛けを備え、この肘掛けは、肘載せ部と、この肘載せ部の下方に突設されて前記便器外殻の側面に取り付けられる柱部とを備え、この柱部の側面に前記固定部を設けたものであることが好ましい。
【００１０】
また、本発明は、前記便器外殻の側面前部に前記固定部を設けたものであることが好ましい。
【００１１】
また、本発明は、前記便器本体は、肘掛けを備え、前記肘掛けは、側面に前記固定部が設けられた肘載せ部を備えるものであることが好ましい。
【００１２】
また、本発明は、前記支持部材は、前記ホルダー本体を取り付ける断面円形状の支持軸と、前記支持軸の軸方向の一端に設けられ前記固定部に固定される被固定部とを備え、この被固定部は、前記支持軸の断面における接線上に幅を有して且つ前記支持軸の前記一端から前記軸方向に突出して設けてあり、前記支持軸の前記一端側に、前記被固定部補強用のリブを設けたものであることが好ましい。
【発明の効果】
【００１３】
本発明は、複数の固定部の中から選択してペーパーホルダーを取り付けることができる。このため、本発明は、例えばペーパーホルダーの取付位置やペーパーホルダーからの紙の引き出し方向を利用者や介助者等の使用者毎の好適な条件に合わせることができる。これによって、本発明は、ペーパーホルダーを使用者に応じて紙を引き出し易い状態に調整することができる。
【図面の簡単な説明】
【００１４】
【図１】第１例の可搬便器の一部を省略した斜視図である。
【図２】肘掛けを取り外した状態の便器本体を示し、（ａ）は平面図であり、（ｂ）はこの（ａ）から防汚容器を取り外した状態の平面図である。
【図３】図２（ｂ）のＢ−Ｂ断面図である。
【図４】ホルダー本体の斜視図である。
【図５】ホルダー本体を示し、（ａ）は平面図であり、（ｂ）はＣ−Ｃ断面図である。
【図６】トイレットロールを収納したホルダー本体の斜視図であり、（ａ）はトイレットロールの紙を上方に引き出した直後の状態を示し、（ｂ）は前記引き出した紙を切断する直前の状態を示す。
【図７】支持部材を示し、（ａ）は被固定部の板面に対向して視た図であり、（ｂ）は被固定部の幅方向に視た図である。
【図８】ペーパーホルダーの姿勢保持部による取付姿勢の説明図であり、（ａ）は凸部組を第１凹部組に嵌め込んだ状態であり、（ｂ）は凸部組を第２凹部組に嵌め込んだ状態であり、（ｃ）は凸部組を第３凹部組に嵌め込んだ状態である。
【図９】第２例の可搬便器の一部を省略した斜視図である。
【図１０】第２例に肘掛けを取り付けた状態の斜視図である。
【図１１】第３例の可搬便器の一部を省略した斜視図である。
【図１２】第４例の可搬便器の一部を省略した斜視図である。
【発明を実施するための形態】
【００１５】
以下、本発明を添付図面に基づいて説明する。本実施形態の可搬便器１は、設置位置を容易に変更することができて、老人、身体障害者、病人等の利用者が利用する介護用の便器に好適に用いられる。
【００１６】
可搬便器１は、着座して利用される便器本体２と、便器本体２に脱着自在で取り付けられるペーパーホルダー５０とを備える。便器本体２は、図１に示されるように、平面視矩形状の便器外殻３と、便座１１及び便蓋１２と、便器外殻３の内側に配置される汚物受け１４とを備える。便座１１及び便蓋１２は、便器外殻３の後端部に左右軸回りに回動自在に連結される。なお、この左右軸回りとは、回転軸方向が左右方向と平行であることを意味する。以下、便座１１に着座した利用者を基準に、利用者の腹側を前方とし、背中側を後方とする。
【００１７】
便器本体２は、便器外殻３から下方に突出した脚部２０と、便器外殻３の後端部に立設される背もたれ２３と、便器外殻３の左右両側上方に配置される肘掛け２７とを備える。このため、可搬便器１は、所謂椅子型の便器になっている。そして、可搬便器１は、便器外殻３、脚部２０、背もたれ２３のフレーム２４（詳細は後述する）、肘掛け２７等が例えば木質材で形成してあり、所謂家具調の可搬便器１になっている。なお、汚物受け１４は、例えば合成樹脂で形成してある。
【００１８】
便器外殻３は略箱状になっており、左右両側の側板４と、両側板４の前端間に架設した前板５と、両側板４の後端間に架設した後板６とを備える。便器外殻３は、両側板４と前板５と後板６とで囲まれた空間（箱の内部）が、図２に示すように、汚物受け１４を配置・収納する収納部８になっている。また、便器外殻３は、両側板４及び前板５の上端に、平面視略矩形枠状の天板７が設けてあり、天板７が収納部８の上端開口の縁部になっている。
【００１９】
両側板４の内面には夫々、脚部２０が取り付けてある。便器外殻３は脚部２０を介して床上に配置される。便器外殻３は脚部２０に対して高さ調節自在に取り付けてある。これによって、可搬便器１は、便器外殻３の高さを調節することができる。また、脚部２０は後端部にキャスター２１が設けてある。これによって、可搬便器１は床上を走行して移動することができる。
【００２０】
両側板４の後端部には夫々、上方に突出した突出片９が設けてある。突出片９の上部の間には、クッション体２５が取り付けてある。このため、突出片９及びクッション体２５が、可搬便器１の背もたれ２３になっている。そして、突出片９は背もたれ２３のフレーム２４として機能する。言い換えると、背もたれ２３は、便器外殻３の側板４と一体でフレーム２４が形成してある。
【００２１】
汚物受け１４は、図３に示されるように、屎尿を受ける便容器（不図示）と、この便容器を収納する防汚容器１５とを備える。このため、汚物受け１４は、二重容器になっている。
【００２２】
防汚容器１５は上縁部に、外方に突出した第１被載置部１５ａが設けてある。第１被載置部１５ａは、防汚容器１５の上縁部の外周の略全長に亘って形成してある。防汚容器１５は収納部８の上方開口を介して収納部８に出し入れ可能になっている。防汚容器１５は、第１被載置部１５ａを天板７上に載置することで懸架される。言い換えると、防汚容器１５は、天板７を介して便器外殻３内（収納部８）に取り付けられる。
【００２３】
前記便容器の上縁部には、外方に突出した第２被載置部が設けてある。この第２被載置部は、前記便容器の上縁部の外周の略全長に亘って形成してある。前記便容器は、防汚容器１５内に上方から出し入れ可能に挿入される。このとき、この便容器は、前記第２被載置部を第１被載置部１５ａの内周部上に載置することで、防汚容器１５に懸架される。言い換えると、前記便容器は、第１被載置部１５ａを介して収納部８内に取り付けられる。
【００２４】
肘掛け２７は、肘を載せる肘載せ部２８と、肘載せ部２８を下方から支持する柱部２９とを備え、側面視略Ｔ字状になっている。肘載せ部２８は、上下方向に板面を有した板状になっており、後端がフレーム２４に脱着自在で取り付けてある。また、肘載せ部２８は、下面の前部に柱部２９の上端が固定してある。
【００２５】
柱部２９は、上下方向に長尺な板状部材で形成してある。柱部２９は、上下方向に略平行した下部２９ａと、下部２９ａの上端から前方に傾いて上方に突出した上部２９ｂとを有しており、下部２９ａと上部２９ｂとは一体で形成してある。柱部２９は、板面を左右方向に向けて、便器外殻３の左右の側方に配置される。このとき、下部２９ａは板面が側板４の外面（便器外殻３の外側面）に当接される。そして、下部２９ａは、取付具（不図示）を介して側板４に脱着自在で取り付けられる。
【００２６】
この取付具は、例えばねじやビスやボルト等になっている。また、柱部２９は、前記取付具挿通用の挿通孔３１が、上下方向に並んで複数設けてあり、例えば本例では、７つ設けてある。そして、側板４には、前記取付具を取り付ける取付穴１０（図９参照）が、上下方向に並んで二つ設けてある。取付穴１０は、例えば側板４に埋め込んだインサートナットになっており、例えば前記取付具を捻じ込む（螺着させる）ことで、この取付具が脱着自在に取り付けられる。
【００２７】
このため、柱部２９は、前記取付具を挿通孔３１に挿通して取付穴１０に取り付けることで、この取付具の頭部と側板４（その側面）とで挟持される。これによって、柱部２９は側板４に脱着自在で取り付けられる。そして、柱部２９は、複数の挿通孔３１のうち、いずれの挿通孔３１を取付穴１０に連通させるかを選択することができる。これによって、柱部２９は、側壁から上方への突出量を変更することができる。言い換えると、肘掛け２７は、柱部２９の取付穴１０への取付位置を変更することで、肘載せ部２８の高さを変更することができる。このため、肘掛け２７は、便器外殻３に脱着自在で且つ高さ調節自在に取り付けてある。
【００２８】
また、柱部２９は夫々、左右の外側を向く板面に、ペーパーホルダー５０固定用の固定部３５が設けてある。このため、柱部２９は左右の外側に、固定部３５を介してペーパーホルダー５０が取付自在になっている。言い換えると、ペーパーホルダー５０は、柱部２９の左右の外側を向く板面に、固定部３５を介して固定される。
【００２９】
固定部３５は、柱部２９の挿通孔３１より上方に設けてある。具体的には、下部２９ａの上端部に設けてあり、固定部３５は、柱部２９を最上段の挿通孔３１で側板４に取り付けた場合、便器外殻３の上端より若干上或いは上端と略同じ高さに位置する。そして、固定部３５は、例えば、左右の外側を向いて開口した固定穴３６を有しており、固定穴３６は左右の固定部３５毎に夫々二つずつ設けてある。
【００３０】
右側の固定部３５の固定穴３６と左側の固定部３５の固定穴３６は、左右方向において互いに背向して配置してある。言い換えると、左右の固定穴３６は、左右方向において互いに逆向きに開口した状態で、左右方向に沿った同一直線上に位置する。そして、各固定部３５において、固定穴３６は前後方向に所定の間隔をおいて並んでおり、この前後方向に並ぶ固定穴３６は、上下方向に略同じ高さに位置する。
【００３１】
また、固定穴３６には、例えばねじやビスやボルト等の固定具（不図示）が取り付けられる。例えば、固定穴３６は、柱部２９に埋め込んだインサートナットで形成してある。そして、固定穴３６は、例えば、前記固定具を捻じ込む（螺着させる）ことで、この固定具が脱着自在で取り付けられる。なお、固定穴３６と取付穴１０とは、同じ内径のインサートナットを用いる等で、略同寸同形に形成することが好ましい。そして、前記固定具は、前記取付具と略同径のものが好ましい。
【００３２】
ペーパーホルダー５０は、複数の固定部３５のうちのいずれか一つに固定される。ペーパーホルダー５０は、図８に示すように、ホルダー本体５１と、ホルダー本体５１を固定部３５に固定する支持部材６８とを備える。
【００３３】
ホルダー本体５１は、図４や図５に示すように、トイレットロール７６を支持するロール支持部５２と、支持部材６８に着脱自在に取り付けられる被取付体６３とを備える。ロール支持部５２は、トイレットロール７６の軸方向を水平面上に位置して、トイレットロール７６を支持しており、支持されたトイレットロール７６は軸回り方向に回転自在になっている。
【００３４】
ロール支持部５２は、トイレットロール７６を載置する支持片部５３と、トイレットロール７６の軸方向の端面を当接する側片部５６とを備える。支持片部５３は、幅広の板状に形成してある。支持片部５３は、下方に凸の湾曲部５４と、湾曲部５４の円弧の一端（第１端）から上方に突出した板状部５５とを備えており、所謂断面略Ｊ字の板状になっている。側片部５６は、支持片部５３のＪ字状の縁部に設けてある。側片部５６は、この縁部からＪ字の内方に向けて突出する。
【００３５】
ロール支持部５２は、湾曲部５４の内周面にトイレットロール７６の外周面を当接した状態で、トイレットロール７６の軸方向を横向きにして、トイレットロール７６が配置される。言い換えると、トイレットロール７６は、その軸方向を支持片部５３の幅方向と略平行に位置して、ロール支持部５２の内側に収納される。そしてこのとき、トイレットロール７６は、その軸方向の端面が側片部５６に近接或いは当接する。
【００３６】
このため、トイレットロール７６は、前記幅方向（トイレットロール７６の軸方向）における支持片部５３からの抜け落ちが抑制される。なお、トイレットロール７６は、紙７６ａを引き出す際に回動する向きを、湾曲部５４の第１端から円弧の残りの一端（第２端）側に向かう向きにして、ロール支持部５２に収納される。
【００３７】
支持片部５３は第２端側に、トイレットロール７６の下部から紙７６ａを引き出すための紙出口５７が設けてある。紙出口５７は略矩形状に開口しており、支持片部５３の幅方向の略全長に亘って形成されている。このため、紙出口５７から紙７６ａを引き出す方向（トイレットロール７６からの紙７６ａの引き出し方向）は、平面視において、支持片部５３の幅方向に略直交した向きになっている。また、紙出口５７の下縁部は、前記引き出した紙７６ａを下から支持する紙支持部として機能する。
【００３８】
支持片部５３は、紙出口５７の上縁部に刃台部５８が設けてある。刃台部５８は、紙出口５７より湾曲部５４の径外方向に突出して位置する。刃台部５８は、支持片部５３の幅方向の略全長に亘って形成してある。刃台部５８には、径外方向から下方に傾けた向きで刃体５９が取り付けてある。刃体５９は、幅方向の寸法が刃台部５８と略同寸になっており、刃体５９の刃先が、前記引き出した紙７６ａを切断するための切断部６０となっている。このため、切断部６０は、紙出口５７より前方且つ上方に位置する。なお、切断部６０は、刃体５９を取り付けて形成したものに限らない。
【００３９】
被取付体６３は、板状部５５の背面に設けてある。被取付体６３は、平面視において板状部５５から離れる向きに長尺な基部６４と、基部６４の前記離れる向きの先端に設けた嵌着部６５とを有する。基部６４の前記離れる向きは、板状部５５の板面に略直交した向きになっている。このため、この離れる向きは、平面視において、トイレットロール７６の軸方向に略直交する。
【００４０】
嵌着部６５は、板状部５５から離れる向きに開口した平面視略Ｃ字状になっている。そして、嵌着部６５は、Ｃ字の内面が同心円上に位置する。言い換えると、嵌着部６５は、円環状の内周面を有する。また、被取付体６３は、この円環の中心を通り且つ基部６４の前記離れる向きに沿った直線上に、Ｃ字の開口が位置する。言い換えると、嵌着部６５は、板状部５５の板面に略直交し且つ前記中心を通る直線に交差する外周面に、基部６４が設けてあり、この直線上で前記外周面の前記中心を介した反対側に、開口が設けてある。
【００４１】
更に、被取付体６３は、嵌着部６５を平面視Ｃ字を広げるように弾性変形させて、嵌着部６５のＣ字の内側に支持部材６８を嵌め込むことができる。そして、被取付体６３は、この嵌め込んだ状態で、嵌着部６５を平面視Ｃ字を広げるように弾性変形されることで、支持部材６８から離脱させることができる。このように、被取付体６３は、支持部材６８に脱着自在に取り付けられる。これによって、ホルダー本体５１は支持部材６８に脱着自在で保持される。
【００４２】
支持部材６８は、図７に示すように、嵌着部６５を脱着自在で取り付ける支持軸６９と、支持軸６９を便器本体２に取り付ける被固定部７０とを備える。支持軸６９は、断面円形の筒状に形成してある。そして、支持軸６９は、嵌着部６５の内周側に略同心で位置することで、嵌着部６５と嵌り合う。このとき、支持軸６９は外周面に嵌着部６５の内周面が当接される。そして、支持軸６９は、嵌着部６５に対して円周方向に相対回転自在になっている。
【００４３】
また、支持軸６９は、軸方向の両端部に夫々鍔部７１が設けてある。鍔部７１は、支持軸６９と略同心で支持軸６９より大径の円盤状に形成してある。これによって、支持部材６８は、支持軸６９に取り付けた被取付体６３が支持軸６９の軸方向に移動したりこの軸方向から支持軸６９の径外方向に傾斜した向きで傾いたりした際に、嵌着部６５の支持軸６９からの離脱を抑制することができる。
【００４４】
被固定部７０は、円筒部の一方の鍔部７１から軸方向に突出して設けてある。被固定部７０は、板状に形成してある。被固定部７０は、平面視において、鍔部７１の接線上に位置する。そして、被固定部７０は、板面の一方がこの接線に対する法線方向を向いている。言い換えると、被固定部７０は、鍔部７１の断面における接線上に設けてあり、板面が鍔部７１の接線方向に幅を有する。このため、支持部材６８は、この接線方向に視て鍔部７１と被固定部７０とがＬ字状に並んだ形状になっている。
【００４５】
更に、被固定部７０は幅の略中央が鍔部７１と前記接線との交点に位置する。被固定部７０は、この接線に対する法線上にリブ７２が設けてある。言い換えると、リブ７２は、被固定部７０の前記幅の略中央に接続してある。リブ７２は、鍔部７１の中心を通って鍔部７１の略全長に亘って形成してある。このため、支持部材６８は、支持軸６９の軸方向や軸方向から傾斜した向き等で支持軸６９に負荷がかかった際に、被固定部７０や鍔部７１の変形や破損等を抑制することができる。
【００４６】
また、被固定部７０は、前記法線方向に沿って貫通孔７３が二つ設けてある。貫通孔７３は、前記接線方向に所定の間隔をおいて並んでおり、被固定部７０の上下方向の寸法の略中央に設けてある。この間隔の略中央には、リブ７２が位置する。言い換えると、二つの貫通孔７３は、リブ７２から夫々逆向きに前記接線方向の略同じ寸法で離れて位置する。そして、貫通孔７３の前記間隔は、固定部３５の固定穴３６の左右方向に並ぶ前記間隔と略同じ寸法になっている。言い換えると、被固定部７０は、固定部３５の固定穴３６と対応する位置に貫通孔７３を有する。
【００４７】
このため、被固定部７０は、リブ７２を設けた側と反対の板面を柱部２９の板面に当接して、二つの貫通孔７３を夫々対応する固定穴３６に連通させることができる。そして、ペーパーホルダー５０は、この連通させた状態で、被固定部７０を介して固定部３５に前記固定具を挿通して取り付けることで、被固定部７０を固定部３５に固定することができる。
【００４８】
これによって、ペーパーホルダー５０は、支持部材６８が便器本体２に脱着自在で取り付けられる。このとき、支持部材６８は、前記法線方向が便器本体２の左右方向に沿って位置し、前記接線方向（被固定部７０の幅方向）が便器本体２の前後方向に沿って位置する。そして、ペーパーホルダー５０は、この取り付けた支持部材６８にホルダー本体５１が取り付けられる。
【００４９】
ここで、ペーパーホルダー５０で支持したトイレットロール７６の使用は、例えば以下のように行われる。まず、図６に示されるように、使用者は、手でトイレットロール７６の下端を持ち、この下端を前記引き出し方向に引っ張り、紙出口５７から引き出す。次に、使用者は、紙７６ａを掴む手を持ち上げる等で、引き出した紙７６ａが所望の長さになるように引き上げた後、この紙７６ａを捻る等で切断部６０によって切断する。
【００５０】
言い換えると、本例のペーパーホルダー５０は、紙７６ａを上方に引き上げる動作を行うことで、紙７６ａを切断することができる。なお、本例では、トイレットロール７６からの紙７６ａの引き出し方向が、支持片部５３の幅方向に略直交した向きに、上下方向の成分を加えたものであってもよい。この場合では、前記上下方向の成分として上向きの成分を有することが好ましい。
【００５１】
このように、可搬便器１は、固定部３５を便器本体２の左右両側方に備えたことで、この複数（本例では二つ）の固定部３５の中から、支持部材６８を取り付ける固定部３５を選択することができる。言い換えると、可搬便器１は、左右の固定部３５のいずれに固定するかを選択することによって、ペーパーホルダー５０の取付位置を左右切り替えることができる。
【００５２】
このため、可搬便器１は、例えばペーパーホルダー５０の取付位置やペーパーホルダー５０で支持したトイレットロール７６からの紙７６ａの引き出し方向を、前記利用者や介助者等の使用者毎の好適な条件に合わせ易くすることができる。これによって、可搬便器１は、ペーパーホルダー５０を使用者に応じて紙７６ａを引き出し易い状態にすることができる。
【００５３】
更に、ペーパーホルダー５０は、ホルダー本体５１が支持部材６８に対して支持部材６８の軸周りに回転自在になっている。言い換えると、ペーパーホルダー５０は、ホルダー本体５１が平面視において取付角度を変更することができる。このため、ペーパーホルダー５０は、前記引き出し方向を平面視において変更することができる。これによって、可搬便器１は、前記引き出し方向を使用者毎の好適な条件に合わせ易くすることができて、ペーパーホルダー５０を使用者に応じて紙７６ａを引き出し易い状態（姿勢）にすることができる。
【００５４】
そして、可搬便器１は、肘掛け２７（柱部２９）の左右の外側にペーパーホルダー５０を取り付けたことで、肘掛け２７より左右の外側にペーパーホルダー５０が位置する。このため、可搬便器１は、例えば利用者の腕等にペーパーホルダー５０を干渉し難くすることができる。更に、可搬便器１は、ペーパーホルダー５０を柱部２９の取付部より上方に固定したことで、ペーパーホルダー５０（紙出口５７）を便器外殻３より上方や便器外殻３の上部側に位置し易くすることができる。これによって、可搬便器１は、例えば紙７６ａの切断時等に紙７６ａを持った手を下方に大きく伸ばさずにすむ等で、使用者にトイレットロール７６を使用し易くすることができる。
【００５５】
また、ペーパーホルダー５０は、ホルダー本体５１の支持部材６８への取付姿勢を規定する姿勢保持部が設けてある。言い換えると、ペーパーホルダー５０は、支持軸６９の嵌着部６５に対する前記相対回転（支持軸６９と嵌着部６５との回転）を規制して所定の回転位置（取付角度）に保持する保持部（姿勢保持部）が設けてある。
【００５６】
この姿勢保持部は、例えば、凹部８１と凹部８１に嵌り込む凸部８２とで形成してある。そして、この姿勢保持部は、凹部８１と凸部８２のうち、一方部材が支持軸６９の外周面とに設けてあり、残りの一方部材が嵌着部６５の内周面（Ｃ字の内面）に設けてある。更に、この姿勢保持部は、凹部８１に対する凸部８２の個数又は凸部８２に対する凹部８１の個数が、整数倍になっている。
【００５７】
このため、ペーパーホルダー５０は、凹部８１と凸部８２とのうち、個数が少ない側の部材を、個数が多い側の部材のどの部材に嵌め合わせるかを選択することで、ホルダー本体５１の支持部材６８への取付姿勢を変更することができる。
【００５８】
以下、第１例の構成に沿って具体的に説明する。本例の姿勢保持部は、例えば嵌着部６５の内周面に４個の凸部８２が設けてあり、支持軸６９の外周面に１２個の凹部８１が設けてあり、凹部８１が凸部８２の整数倍の個数になっている。
【００５９】
凸部８２は夫々径内方向に沿って突出して形成してある。４個の凸部８２は、２個ずつの凸部８２が夫々、径方向において対向しており、凸部組になっている。２組の前記凸部組同士は、上下方向に所定の間隔をおいて並んでおり、平面視略重なって位置する。なお、本例では、凸部８２の並ぶ径方向に沿った直線が、基部６４の前記離れる向きに沿った仮想直線と平面視略直交する。
【００６０】
凹部８１は夫々径内方向に沿って外周面から凹んで形成してある。１２個の凹部８１は、２個ずつが夫々、径方向において対向しており、凹部組になっている。６組の前記凹部組は、支持軸６９の第１端部側の所定の同一円周上に３組が位置し、第２端部側の所定の同一円周上に残りの３組が位置する。そして、前記第１端部側の凹部組と前記第２端部側の凹部組は夫々、１組ずつ上下方向に所定の間隔をおいて並んでおり、この１組ずつが夫々平面視略重なって位置する。この凹部組の上下方向の前記間隔は、前記凸部組の上下方向の間隔と同じ寸法になっている。
【００６１】
また、各同一円周上の３組の前記凹部組は、この円周方向において、所定の間隔をおいて並んでおり、この３組は平面視重ならずに位置する。例えば、１組の前記凹部組は、前記離れる向きに沿った仮想直線と平面視略直交する直線上に位置し、残りの２組の前記凹部組は、前記直交する直線上の凹部組から夫々異なる向きで円周方向に４５度ずれて位置する。
【００６２】
以下、図８（ａ）に示すように、前記直交する直線上の凹部組を第１凹部組とする。そして、前記残りの２組の凹部組のうち、図８（ｂ）に示すように、前記第１凹部組から一方に４５度ずれた前記凹部組を第２凹部組とし、図８（ｃ）に示すように、反対側の一方に４５度ずれた残りの前記凹部組を第３凹部組とする。
【００６３】
具体的には、支持部材６８を固定部３５に取り付けた際に、前記凸部組を前記第１凹部組に嵌め合わせることで、前記法線方向に加えて、ロール支持部５２の前記引き出し方向及び被取付体６３の前記離れる向きが、左右方向と略平行に位置する。そして、この嵌合状態において、右側の固定部３５に取り付けた場合では、前記引き出し方向が右側を向き、前記離れる向きが左側を向く。更に、前記嵌合状態において、左側の固定部３５に取り付けた場合では、前記引き出し方向が左側を向き、前記離れる向きの先端側が右側を向く。以下、前記離れる向きは、前記引き出し方向の反対を向くため、前記引き出し方向のみを説明する。
【００６４】
前記凸部組を前記第２凹部組に嵌め合わせた状態において、例えば右側の固定部３５に取り付けた場合では、前記引き出し方向が、左右方向から支持軸６９の円周方向に沿って前方側に４５度傾いて位置して、右前方を向く。また、この嵌合状態において、例えば左側の固定部３５に取り付けた場合では、前記引き出し方向が、左右方向から支持軸６９の円周方向に沿って後方側に４５度傾いて位置して、左後方を向く。
【００６５】
前記凸部組を前記第３凹部組に嵌め合わせた状態において、例えば右側の固定部３５に取り付けた場合では、前記引き出し方向が、左右方向から支持軸６９の円周方向に沿って後方側に４５度傾いて位置して、右後方を向く。また、この嵌合状態において、例えば左側の固定部３５に取り付けた場合では、前記引き出し方向が、左右方向から支持軸６９の円周方向に沿って前方側に４５度傾いて位置して、左前方を向く。
【００６６】
このように、前記姿勢保持部は、前記凸部組と前記凹部組とが嵌り合うことで、支持軸６９と嵌着部６５との相対回転を規制する。これによって、ペーパーホルダー５０は、ホルダー本体５１の支持部材６８への取付姿勢が、所定の回転位置（取付角度）に規定される。そして、前記姿勢保持部は、前記凸部組を複数の前記凹部組から選択的に嵌め込むことができる。言い換えると、前記姿勢保持部は、前記複数の凹部組のうち、いずれの前記凹部組に前記凸部組を嵌め合わせるかを選択することができる。
【００６７】
これによって、ペーパーホルダー５０は、前記相対回転によって平面視における前記引き出し方向を変更した際に、この変更した状態に保持し易くすることができて、トイレットロール７６から紙７６ａを引き出し易くすることができる。
【００６８】
このため、例えば使用者が手を前後方向より左右方向に動かし易い場合では、前記凸部組を前記第１凹部組に嵌め合せることで、前記引き出し方向における前記動かし易い方向に沿った方向成分を多くし易くすることができる。そして、例えば手を左右方向より前後方向に動かし易い場合では、前記凸部組を前記第２凹部組や前記第３凹部組に嵌め合せることで、前記引き出し方向における前記動かし易い方向に沿った方向成分の割合を多くし易くすることができる。
【００６９】
これによって、可搬便器１は、前記引き出し方向を使用者毎に好適な方向に合わせ易くすることができる。更に、可搬便器１は、前記引き出し方向が右後方や左後方を向くため、介助者等が便器本体２より左右外方の後側に作業する場合等に、この介助者等によるトイレットロール７６の使用を行い易くすることができる。
【００７０】
次に、図９に示すように、変形例（第２例）を説明する。この例（第２例）では、支持部材６８が側板４に脱着自在で取り付けられる。なお、前述の例（第１例）と同様の構成は、同じ符号を付して、重複する説明は省略する。
【００７１】
本例では、側板４の外面に固定部３５が設けてある。固定部３５は、例えば、前記インサートナット等で形成した固定穴３６になっている。この固定穴３６は、側板４の外面側に開口して前後方向に並んで二つ設けてある。そして、二つの固定穴３６のうち、後方の固定穴３６は、上下方向の並ぶ二つの取付穴１０のうちの上方の取付穴１０がその機能を兼ねている。このため、固定部３５は、便器外殻３の側面前部に位置する。
【００７２】
このため、可搬便器１は、支持部材６８を側板４に固定する場合、少なくともその固定した側の側板４から肘掛け２７を取り外した状態で、ペーパーホルダー５０が取り付けられる。そして、可搬便器１は、固定部３５を両側板４に夫々設けることで、ペーパーホルダー５０の取付位置を左右両側から選択することができる。
【００７３】
更に、可搬便器１は、例えば固定部３５を支持軸６９の下端側に位置した状態で、ペーパーホルダー５０を側板４に取り付けることで、便座１１に座った利用者の太股と略同レベルにペーパーホルダー５０を配置することができる。そして、可搬便器１は、例えば固定部３５を支持軸６９の上端側に位置した状態で、ペーパーホルダー５０を側板４に取り付けることで、便座１１に座った利用者の太股より下方にペーパーホルダー５０を配置することができる。
【００７４】
このように、可搬便器１は、ペーパーホルダー５０の取付位置を変更することができるため、ペーパーホルダー５０からの紙７６ａの引き出し方向を使用者に応じた向きにし易くすることができる。そして、固定部３５を支持軸６９の上端側に位置して取り付けた場合、ペーパーホルダー５０が便座１１より上方に突出せずにすみ、例えば利用者の起立や着席時等に、利用者の足等にペーパーホルダー５０を干渉し難くすることができる。
【００７５】
なお、可搬便器１は、肘掛け２７を両側板４から取り外す場合、肘掛け２７をフレーム２４側のみで支持可能な型に変更して新たに取り付けてもよい。この場合では、新たな肘掛け２７が、フレーム２４に支持された部位或いはその近傍を支点として前端側を上下方向に回動自在なものが好ましい。
【００７６】
具体的には、例えば、肘掛け２７が、図１０に示すように、肘載せ部２８と、前後方向に長尺な支持部４０と、支持部４０の後端をフレーム２４に着脱自在で取り付ける装着部４１とを備える。装着部４１は、回動機構部４１１を有する。
【００７７】
このため、装着部４１は、フレーム２４に対して支持部４０を上下方向に回動させることができる。そして、肘掛け２７は、支持部４０を回動させることで、肘載せ部２８の姿勢を、着座した利用者の腕等を肘載せ部２８の上面に載置可能な横向き姿勢と、背もたれ２３側に位置する上向き姿勢とに切り替えることができる。
【００７８】
また、図１１に示すように、他の変形例（第３例）を説明する。この例（第３例）では、支持部材６８が肘掛け２７に脱着自在で取り付けられる。なお、前述の各例（第１例や第２例）と同様の構成は、同じ符号を付して、重複する説明は省略する。
【００７９】
本例では、左右の肘載せ部２８に夫々固定部３５が設けてある。固定部３５は、肘載せ部２８の前後方向の略中央に位置する。固定部３５は夫々前後方向に並んで二つの固定穴３６を有する。固定穴３６は、肘載せ部２８の左右の外側に向けて開口しており、例えば、前記インサートナット等で形成してある。
【００８０】
このため、可搬便器１は、肘載せ部２８の固定部３５にペーパーホルダー５０を取り付けることで、ペーパーホルダー５０を柱部２９より後方に配置することができる。そして、可搬便器１は、固定部３５を両肘載せ部２８に夫々設けることで、ペーパーホルダー５０の取付位置を左右両側から選択することができる。更に、可搬便器１は、柱部２９に固定部３５を備えることで、両肘載せ部２８及び両柱部２９に設けた合計４つの固定部３５の内から、ペーパーホルダー５０の取付位置を選択することができる。
【００８１】
また、可搬便器１は、例えば固定部３５を支持軸６９の下端側に位置した状態で、ペーパーホルダー５０を肘載せ部２８に取り付けることで、肘載せ部２８より下方にペーパーホルダー５０を配置することができる。そして、可搬便器１は、例えば固定部３５を支持軸６９の上端側に位置した状態で、ペーパーホルダー５０を肘載せ部２８に取り付けることで、肘載せ部２８より上方にペーパーホルダー５０を配置することができる。
【００８２】
このように、可搬便器１は、ペーパーホルダー５０の取付位置を変更することができるため、ペーパーホルダー５０からの紙７６ａの引き出し方向を使用者に応じた向きにし易くすることができる。そして、固定部３５を支持軸６９の上端側に位置して取り付けた場合では、ペーパーホルダー５０が肘載せ部２８より上方に突出せずにすみ、例えば利用者の腕等にペーパーホルダー５０を干渉し難くすることができる。
【００８３】
また、固定部３５を支持軸６９の下端側に位置して取り付けた場合では、ペーパーホルダー５０を肘載せ部２８より高い位置に配置することができる。この場合では、例えばホルダー本体５１が切断部６０を紙出口５７の下端縁に上向きで備えるもの等であっても、紙７６ａを下向きに引き出して切断する動作等を、便座１１より上方で行い易くすることができる。言い換えると、この場合では、手を下方に大きく伸ばしたり、体を曲げながら手を下げたりしなくても、紙７６ａを切断し易くすることができる。
【００８４】
これによって、可搬便器１は、便座１１に着座した利用者の負担を軽減し易くすることができる。
【００８５】
また、図１２に示すように、更に他の変形例（第４例）を説明する。この例（第４例）では、前後に並ぶ柱部２９のうちの前方側の柱部２９や肘載せ部２８の構成が、前述した各例の構成と異なる。なお、前述の各例（第１例乃至第３例）と同様の構成は、同じ符号を付して、重複する説明は省略する。
【００８６】
本例では、肘載せ部２８が前部材２８ａと後部材２８ｂとに分かれている。後部材２８ｂは後端部がフレーム２４に固定してある。そして、後部材２８ｂは、下面の前後方向の略中央に、後方側の柱部２９の上端が固定してある。後方側の柱部２９は、上下方向に長尺な板状になっている。後方側の柱部２９は、板面を側板４に当接した状態で、下部２９ａが便器外殻３に固定してある。
【００８７】
前部材２８ａは、前後方向の略中央に、前方側の柱部２９が固定してある。前方側の柱部２９は、上下方向に長尺な矩形の筒状になっている。前方側の柱部２９は、上方に開口した固定筒４３と、固定筒４３内に配置され上下方向にスライド移動自在の可動筒４４とを備える。
【００８８】
そして、固定筒４３の内部には、例えば、可動筒４４を所定のスライド位置に保持する保持部（不図示）と、この保持部の保持の解除する解除具（不図示）とが設けてあり、可動筒４４を所定のスライド位置（高さ位置）に調整保持することができる。更に、前方側の柱部２９は、固定筒４３が側板４に固定してあり、可動筒４４の上端に前部材２８ａが固定してある。このため、前方側の柱部２９は、スライド位置を変更することで、便器外殻３に対する前部材２８ａの高さ位置を調節自在になっている。
【００８９】
そして、前部材２８ａの前後方向の略中央には、前記解除具を介して前記保持の解除操作を行うための操作部４５と、非操作時に操作部４５を覆うシャッター（不図示）とが設けてある。このシャッターは、前部材２８ａに対して前後方向にスライド移動自在になっており、前方位置と後方位置とに切り替えることができる。そして、このシャッターは、前記前方位置で操作部４５を覆い操作部４５を操作不能にし、前記後方位置で操作部４５を露出させて操作可能にする。
【００９０】
更に、前部材２８ａは、左右の外側を向く板面の後端側、好ましくは前記後方位置より後方に、固定部３５が設けてある。
【００９１】
このように、可搬便器１は、前部材２８ａの高さ位置を変更することで、ペーパーホルダー５０の高さを変化させることができる。そして、可搬便器１は、固定部３５を両前部材２８ａに夫々設けたことで、ペーパーホルダー５０の取付位置を左右両側から選択することができる。
【００９２】
更に、可搬便器１は、例えば固定部３５を支持軸６９の下端側に位置した状態で、ペーパーホルダー５０を肘載せ部２８に取り付けることで、肘載せ部２８より下方にペーパーホルダー５０を配置することができる。そして、可搬便器１は、例えば固定部３５を支持軸６９の上端側に位置した状態で、ペーパーホルダー５０を肘載せ部２８に取り付けることで、肘載せ部２８より上方にペーパーホルダー５０を配置することができる。
【００９３】
このため、可搬便器１は、前記引き出し方向を使用者に応じた向きや高さに調整し易くすることができる。そして、固定部３５を支持軸６９の上端側に位置して取り付けた場合では、ペーパーホルダー５０が肘載せ部２８より上方に突出せずにすみ、例えば利用者の腕等にペーパーホルダー５０を干渉し難くすることができる。
【００９４】
また、固定部３５を支持軸６９の下端側に位置して取り付けた場合では、ペーパーホルダー５０を肘載せ部２８より高い位置に配置することができる。この場合では、例えばホルダー本体５１が切断部６０を紙出口５７の下端縁に上向きで備えるもの等であっても、紙７６ａを下向きに引き出して切断する動作等を、便座１１より上方で行い易くすることができる。言い換えると、この場合では、手を下方に大きく伸ばしたり、体を曲げながら手を下げたりしなくても、紙７６ａを切断し易くすることができる。
【００９５】
これによって、可搬便器１は、便座１１に着座した利用者の負担を軽減し易くすることができる。
【００９６】
なお、本発明は、各実施形態（各例）の構成のみに限定されるものではなく、本発明の意図する範囲内であれば、適宜の設計変更を行うことや、各例の構成を組み合わせて用いることが可能である。
【符号の説明】
【００９７】
１  可搬便器
２  便器本体
３  便器外殻
４  側板
１４  汚物受け
２７  肘掛け
２８  肘載せ部
２９  柱部
３５  固定部
５０  ペーパーホルダー
５１  ホルダー本体
５２  ロール支持部
５７  紙出口
６０  切断部
６３  被取付体
６５  嵌着部
６８  支持部材
６９  支持軸
７０  被固定部
７２  リブ
７６  トイレットロール
８１  凹部
８２  凸部
【図１】
2014064600.tif 000003
【図２】
2014064600.tif 000004
【図３】
2014064600.tif 000005
【図４】
2014064600.tif 000006
【図５】
2014064600.tif 000007
【図６】
2014064600.tif 000008
【図７】
2014064600.tif 000009
【図８】
2014064600.tif 000010
【図９】
2014064600.tif 000011
【図１０】
2014064600.tif 000012
【図１１】
2014064600.tif 000013
【図１２】
2014064600.tif 000014